(57)【特許請求の範囲】
【請求項１】
圧縮機、冷却器を含む冷凍サイクルと、前記冷却器に付着した霜を溶かす除霜装置と、前記圧縮機、前記除霜装置で溶かした除霜水を溜める蒸発皿及び主に前記圧縮機に送風を行う機械室ファンと、前記圧縮機、前記除霜装置及び前記機械室ファン等の制御を行う制御装置を実装した制御基板とを備え、
前記制御装置は、
前記除霜装置の行う霜取り時間の積算を行い、積算した霜取り時間が所定時間を超える場合、次回霜取りまでの前記圧縮機の運転中の前記機械室ファンの回転数を通常設定値Ｓ２よりも高いＳ１に設定し、
前記機械室ファンの回転数をＳ１にして前記圧縮機を運転した後の前記圧縮機停止中も、前記機械室ファンを通常設定値Ｓ２よりも低いＳ３で回転させる制御を行うことを特徴とする冷蔵庫。
【請求項２】
圧縮機、冷却器を含む冷凍サイクルと、前記冷却器に付着した霜を溶かす除霜装置と、前記圧縮機、前記除霜装置で溶かした除霜水を溜める蒸発皿及び主に前記圧縮機に送風を行う機械室ファンと、前記蒸発皿の水量を検出する水量センサと、前記圧縮機、前記除霜装置及び前記機械室ファン等の制御を行い、前記水量センサからの前記水量に係る信号が入力される制御装置を実装した制御基板とを備え、
前記制御装置は、
前記水量センサで検出した前記水量が所定値を超える場合、次回霜取りまでの前記圧縮機の運転中の前記機械室ファンの回転数を通常設定値Ｓ２よりも高いＳ１に設定し、
前記機械室ファンの回転数をＳ１にして前記圧縮機を運転した後の前記圧縮機停止中も、前記機械室ファンを通常設定値Ｓ２よりも低いＳ３で回転させる制御を行うことを特徴とする冷蔵庫。
【請求項３】
圧縮機、冷却器を含む冷凍サイクルと、前記冷却器に付着した霜を溶かす除霜装置と、前記圧縮機、前記除霜装置で溶かした除霜水を溜める蒸発皿及び主に前記圧縮機に送風を行う機械室ファンと、外気温度を検出する外気温度検出装置と、前記圧縮機、前記除霜装置及び前記機械室ファン等の制御を行い、前記外気温度検出装置からの信号が入力される制御装置を実装した制御基板とを備え、
前記制御装置は、
前記外気温度検出装置の検出する前記外気温度が所定値以下の場合、次回霜取りまでの前記圧縮機の運転中の前記機械室ファンの回転数を通常設定値Ｓ２よりも高いＳ１に設定し、
前記機械室ファンの回転数をＳ１にして前記圧縮機を運転した後の前記圧縮機停止中も、前記機械室ファンを通常設定値Ｓ２よりも低いＳ３で回転させる制御を行うことを特徴とする冷蔵庫。
【請求項４】
前記機械室ファンの回転数をＳ１にして前記圧縮機を運転した後の前記圧縮機停止中、所定時間前記機械室ファンをＳ３で回転させ、その後は機械室ファンを停止することを特徴とする請求項１乃至３のいずれかに記載の冷蔵庫。
【請求項５】
前記冷蔵庫は、さらに、
操作を受け付けるスイッチを備え、
前記制御装置は、
前記機械室ファンを通常設定値Ｓ２よりも低いＳ３で回転させているときに、前記スイッチが操作されると、前記機械室ファンを前記Ｓ３よりも低いＳ４で回転させることを特徴とする請求項１乃至３のいずれかに記載の冷蔵庫。
【請求項６】
前記冷蔵庫は、さらに、表示の可能なパネルを備え、
前記制御装置は、
前記機械室ファンを前記Ｓ４で回転開始させたときには、前記パネルに前記機械室ファンが前記Ｓ４で回転していることを示す表示を表示することを特徴とする請求項５記載の冷蔵庫。
【請求項７】
前記冷蔵庫は、さらに、
操作を受け付けるスイッチを備え、
前記制御装置は、
前記機械室ファンを通常設定値Ｓ２よりも低いＳ３で回転させているときに、前記スイッチが１回操作されると前記機械室ファンを前記Ｓ３よりも低いＳ４で回転させると共に前記スイッチが２回操作されると前記機械室ファンの回転を停止させることを特徴とする請求項１乃至３のいずれかに記載の冷蔵庫。
【請求項８】
前記冷蔵庫は、さらに、表示の可能なパネルを備え、
前記制御装置は、
前記機械室ファンを前記Ｓ４で回転開始させたときには前記パネルに前記機械室ファンが前記Ｓ４で回転していることを示す表示を表示し、前記機械室ファンの回転を停止させたときには前記パネルに前記機械室ファンが停止したことを示す表示を表示することを特徴とする請求項７記載の冷蔵庫。
【発明の詳細な説明】
【技術分野】
【０００１】
この発明は、背面底部に位置し、圧縮機を設置した機械室に除霜水を蒸発させる蒸発皿を設けた冷蔵庫に関するものである。
【背景技術】
【０００２】
除霜時間を計測する手段を有し、その時間の長短に基づき、除霜水の蒸発促進時間を設定し、その時間内は機械室ファンの回転数を通常よりも高く設定する制御を行う冷蔵庫が提案されている（例えば、特許文献１参照）。
【０００３】
また、除霜水が多いとき（霜取時間が長いとき）や除霜水が蒸発しにくいときに、霜取り終了後の圧縮機が起動してから次に停止するまで機械室ファンの回転数を通常よりも高く設定する制御を行う冷蔵庫が提案されている（例えば、特許文献２参照）。
【０００４】
特許文献１、２は、機械室ファンの運転を圧縮機運転と同期させており、圧縮機停止中は機械室ファンの運転を停止させている。
【特許文献１】特開平１０−３３２２５３号公報
【特許文献２】特開２０００−１２１２３４号公報
【発明の開示】
【発明が解決しようとする課題】
【０００５】
特許文献１、２は、圧縮機の運転と同期して機械室ファンの運転を行っているが、これは圧縮機運転中の高い熱を利用して蒸発皿に溜まった除霜水の蒸発を効率的に行うためである。
【０００６】
しかし、圧縮機は停止直後もまだ高温であり、特許文献１、２では機械室ファンは圧縮機と同期運転であるため圧縮機停止中に機械室ファンは運転していない。
【０００７】
除霜水の量は庫内負荷、例えば庫内食品量や扉開閉回数などにより一定でなく、また外気温度が低い場合には除霜水の蒸発量も低いものとなる。
【０００８】
蒸発皿での水分の蒸発量が少ないとオーバーフローし、機械室内の電気部品のショートや、床へ水がこぼれるなどの不具合が生じてしまう。これを回避するために、蒸発皿の容量拡大または除霜水の蒸発能力増大が課題となる。
【０００９】
また、外気温度の低い状況では圧縮機の停止時間も長く、特許文献１、２のように機械室ファンの運転を圧縮機と同期させると除霜水の蒸発能力不足に陥ることも考えられる。
【００１０】
また、特許文献１、２では、機械室ファンの回転数を高くする時間を決めているが、その時間が短いと上記のような不具合が生じてしまうため必ずしも蒸発能力が良いものとは言えない。
【００１１】
この発明は、上記のような課題を解決するためになされたもので、除霜水の蒸発能力を増大させると共に、消費電力を改善した冷蔵庫を提供することを目的とする。
【課題を解決するための手段】
【００１２】
この発明に係る冷蔵庫は、圧縮機、冷却器を含む冷凍サイクルと、冷却器に付着した霜を溶かす除霜装置と、圧縮機、除霜装置で溶かした除霜水を溜める蒸発皿及び主に圧縮機に送風を行う機械室ファンと、圧縮機、除霜装置及び機械室ファン等の制御を行う制御装置を実装した制御基板とを備え、
制御装置は、
除霜装置の行う霜取り時間の積算を行い、積算した霜取り時間が所定時間を超える場合、次回霜取りまでの圧縮機の運転中の機械室ファンを通常設定値Ｓ２よりも高いＳ１で回転させ、
圧縮機を運転した後の圧縮機停止中も、機械室ファンを通常設定値Ｓ２よりも低いＳ３で回転させる制御を行うことを特徴とする。
【発明の効果】
【００１３】
この発明に係る冷蔵庫は、次回霜取りまで、圧縮機運転中は機械室ファンの回転数を高く、また圧縮機停止中も機械室ファンを運転させるので、除霜水の蒸発能力を向上させることができる。また停止中に圧縮機をより冷却させるため次回圧縮機運転時の消費電力の改善という効果も有する。
【発明を実施するための最良の形態】
【００１４】
実施の形態１．
図１乃至図９は実施の形態１を示す図で、図１は冷蔵庫１００の縦断面図、図２は機械室１２の配置図、図３は蒸発皿２が冷蔵庫１００の下面に設置された場合の平面図、図４は制御フローチャート図、図５は制御タイムチャート図、図６は制御タイムチャート図、図７は制御フローチャート図、図８は冷蔵庫１００の機械室１２の配置図、図９は制御フローチャート図である。
【００１５】
図１を参照しながら冷蔵庫１００の全体構成を説明する。尚、本実施の形態は、機械室１２に設置される機械室ファン１４の制御に特徴があり、他の部分については公知の冷蔵庫と同様である。従って、機械室１２以外についての説明は簡単に行う。
【００１６】
冷蔵庫１００の内部は、断熱仕切り壁によって複数の部屋に仕切られている。最上部が冷蔵室１１、冷蔵室１１の下が上部冷凍室１０、上部冷凍室１０の下が野菜室９、野菜室９の下が冷凍室８である。尚、上記は一例であり、冷蔵庫１００の形態は任意である。
【００１７】
各部屋の前面には開閉自在の扉が取り付けられる。冷蔵室１１の扉は、ヒンジ装置により回動する扉である。他の上部冷凍室１０、野菜室９及び冷凍室８の扉は、引出し式の扉である。
【００１８】
冷蔵庫１００の外郭を構成する断熱箱体の断熱材の内部で背面上部に制御基板６が設置されている。制御基板６には、マイコン（マイクロコンピュータ）、記憶装置、入出力ポート等で構成される制御装置が実装されている。そして、制御装置は、冷蔵庫１００の各部屋の温度調節、除霜装置１３（後述）の動作、自動製氷機（図示せず）の動作等の制御を行う。
【００１９】
冷蔵庫１００の各部屋の温度の設定は、冷蔵室１１の扉に設けられた温度操作パネル７でユーザ等が行うことができる。上記制御装置は、冷蔵庫１００の各部屋の温度がその設定値になるように冷凍サイクルの圧縮機１（後述）、ダンパーサーモ５（後述）等を制御する。
【００２０】
断熱箱体を構成する樹脂製の内箱の庫内側で、略野菜室９の背面に冷却器室１８が設けられている。冷却器室１８には、冷凍サイクルを構成する冷却器３が設置される。冷却器３は、低圧・低温の気液二相冷媒を蒸発させて、庫内を循環する空気と熱交換を行い冷気を生成する蒸発器として作用する。また、冷却器３で生成された冷気を庫内へ循環させる庫内ファン４が冷却器室１８に設置されている。さらに、冷却器３には循環する空気中の水分が結露し凍結した霜が付着する。この霜を除くための除霜装置１３が、冷却器３の下に設置される。除霜装置１３は、例えば、電気ヒータが使用される。
【００２１】
ダンパーサーモ５は、冷蔵室１１等への冷気の循環量を制御する。
【００２２】
断熱箱体の外部で、背面下部に機械室１２が設けられる。機械室１２には、冷凍サイクルを構成し、低圧・低温の冷媒を圧縮して高圧・高温の冷媒を吐出する圧縮機１が設置される。圧縮機１は、例えば、低圧シェルレシプロ圧縮機である。また、冷却器３に付着した霜を溶かした除霜水を蒸発させる蒸発皿２が機械室１２に設けられる。さらに、機械室ファン１４（図２参照）が設けられる。機械室１２の背面には、機械室カバー１５が設置される。
【００２３】
機械室１２のレイアウトを説明する。図２（ａ）は好ましい例である。図２（ａ）では、機械室ファン１４の下流側に、圧縮機１と蒸発皿２が設置される。蒸発皿２は圧縮機１の上に設置される。蒸発皿２を圧縮機１の上に設置することにより、高温となる圧縮機１の熱を利用して蒸発皿２内の除霜水を蒸発させることができる。
【００２４】
図２（ａ）で、機械室ファン１４の風の向きを反対にしてもよい。即ち、圧縮機１と蒸発皿２とを機械室ファン１４の上流側に設置する。機械室ファン１４による空気流れの方向は、基本的には圧縮機１に空気を当てる方向に設置し圧縮機１の放熱を促進させるものであるが、機械室カバー１５にあける穴の配置により圧縮機温度が下がるものであれば機械室ファン１４の向きを逆向きとしてもよい。
【００２５】
図２（ａ）の構成、即ち、蒸発皿２を圧縮機１の上に設置する場合は、機械室１２の高さが高くなる。そのため、冷蔵庫１００の高さを同一とした場合は、庫内容積が減少する。
【００２６】
図２（ｂ）は、冷蔵庫１００の庫内容積の減少を抑制する機械室１２のレイアウトの一例である。図２（ｂ）では、機械室ファン１４の下流側に、蒸発皿２、圧縮機１の順に横に並べて配置している。蒸発皿２、圧縮機１を横に並べて配置することにより、機械室１２の高さを低くできる。そのため、庫内容積の減少を抑制することができる。図２（ｂ）でも、機械室ファン１４の風の流れを反対にしてもよい。
【００２７】
図２（ｃ）は、冷蔵庫１００の庫内容積の減少を抑制する機械室１２のレイアウトの他の例である。図２（ｃ）では、機械室ファン１４の下流側に、圧縮機１、蒸発皿２の順に横に並べて配置している。圧縮機１、蒸発皿２を横に並べて配置することにより、機械室１２の高さを低くできる。そのため、庫内容積の減少を抑制することができる。図２（ｃ）でも、機械室ファン１４の風の流れを反対にしてもよい。
【００２８】
図２（ｄ）は、冷蔵庫１００の庫内容積の減少を抑制する機械室１２のレイアウトのさらに他の例である。図２（ｄ）では、機械室ファン１４の下流側に圧縮機１を配置し、機械室ファン１４の上流側に蒸発皿２を配置している。このような配置でも、機械室１２の高さを低くできる。そのため、庫内容積の減少を抑制することができる。図２（ｄ）でも、機械室ファン１４の風の流れを反対にしてもよい。
【００２９】
図３に示すように、機械室１２には圧縮機１と機械室ファン１４とを設け、蒸発皿２は冷蔵庫１００の底部の外側（下側）に設けるようにしてもよい。この場合、機械室１２へは空気が冷蔵庫１００の背面から流入し、機械室ファン１４、圧縮機１を通過し、蒸発皿２の周囲に設けられた整流ガイド１６内に空気が流入する。整流ガイド１６内に設置された蒸発皿２を通過した空気は、冷蔵庫１００の前面から冷蔵庫１００の外へ排出される。
【００３０】
既に述べたように、冷蔵庫１００の外郭を構成する断熱箱体の断熱材の内部で背面上部に制御基板６が設置されている。制御基板６には、マイコン（マイクロコンピュータ）、記憶装置、入出力ポート等で構成される制御装置が実装されている。そして、制御装置は、冷蔵庫１００の各アクチュエータ（庫内ファン４、機械室ファン１４、ダンパーサーモ５、除霜装置１３、圧縮機１等）の制御を行っている。
【００３１】
圧縮機１の運転は、各部屋に設置されたサーミスタ（図示せず）により庫内温度を測定し、庫内温度が設定温度になるように圧縮機１の断続運転を行っている。
【００３２】
制御基板６に実装される制御装置は、マイコン、記憶装置（ＥＥＰＲＯＭなどのＲＯＭ、ＲＡＭ等）、各アクチュエータの入出力ポート等で構成される。
【００３３】
マイコンはプログラムを実行するＣＰＵ（Ｃｅｎｔｒａｌ  Ｐｒｏｃｅｓｓｉｎｇ  Ｕｎｉｔ）を備えている。ＣＰＵはバスを介してＲＯＭ、ＲＡＭ、入出力ポート等に接続されている。ＲＡＭは、揮発性メモリの一例である。ＲＯＭは不揮発性メモリの一例である。これらは、記憶装置の一例である。
【００３４】
ＲＯＭには、以下に述べる動作フローチャートの各ステップにおける機能を実行するプログラムが記憶されている。プログラムは、ＣＰＵにより読み出され実行される。
【００３５】
また、以下に述べる動作フローチャートの各ステップの機能として説明するものは、ＲＯＭに記憶されたファームウェアで実現されていても構わない。或いは、ソフトウェアのみ、或いは、ハードウェアのみ、或いは、ソフトウェアとハードウェアとの組合せ、さらには、ファームウェアとの組合せで実施されても構わない。
【００３６】
以下、冷蔵庫１００の霜取り前後の機械室ファン１４の制御を図４、図５を参照しながら説明する。尚、動作フローチャートの各ステップにおける動作は、ＲＯＭに記憶されている動作フローチャートの各ステップにおける機能を実行するプログラムをＣＰＵにより読み出され実行されるものである。よって、各ステップでは、一々ＣＰＵあるいは制御装置が実行するとは述べない。また、設定、判定、判断等もＲＯＭに記憶されているプログラムをＣＰＵにより読み出され実行される。従って、設定、判定、判断等を行う「〜手段」という表現も行わない。
【００３７】
図４、図５により、冷蔵庫１００の霜取り前後の機械室ファンの制御について説明する。先ず、冷蔵庫１００は、通常冷却運転を行う（Ｓ１０）。
【００３８】
圧縮機１及び庫内ファン４が運転し、庫内へ冷気が循環されると、その冷気に含まれる水分は冷却器３に徐々に付着していく。このとき庫内負荷量や扉開閉回数等により冷却器３への着霜量は変化する。着霜量が多くなると、冷却器３が閉塞する恐れがある。そこで、所定の時間間隔で除霜装置１３に通電し除霜する（Ｓ１１）。
【００３９】
ここで所定の時間間隔を、圧縮機１の運転積算時間や、扉開閉回数、扉開時間の積算により段階的に設定している。
【００４０】
除霜装置１３に通電し除霜する霜取り時間を積算する（Ｓ１２）。尚、初めに言及したように、この機能は、ＲＯＭに記憶されているプログラムをＣＰＵにより読み出されて実行され、結果が記憶装置に記憶されるものである。以降の各ステップでの機能も同様に処理される。
【００４１】
除霜制御は、先ず冷却器３に取り付けられた霜取りサーミスタ（図示せず）の温度が所定の温度Ｔｄを超えたかを判定する（Ｓ１３）。Ｓ１３で霜取りサーミスタ温度が、所定の温度Ｔｄを超えた場合（ＹＥＳの場合）は、霜取り終了とする。その後圧縮機が運転し通常の冷却運転を再開する（Ｓ１４）。Ｓ１３で霜取りサーミスタ温度が、所定の温度Ｔｄを超えない場合（ＮＯの場合）は、Ｓ１２に戻る。
【００４２】
霜取り時に除霜水は、機械室１２に設置された蒸発皿２に出てくる。Ｓ１２で積算した霜取り時の除霜装置１３への通電時間（霜取り時間）が、所定時間、例えば６０分を越えたかを判定する（Ｓ１５）。
【００４３】
Ｓ１５で霜取り時間が、所定時間、例えば６０分を超えた場合（ＹＥＳの場合）は、次回霜取りまでの圧縮機１運転中の機械室ファン１４の回転数を通常設定値Ｓ２よりも高くＳ１に設定する（Ｓ１６及び図５参照）。
【００４４】
また、機械室ファン１４の回転数をＳ１にして圧縮機１を運転した後の圧縮機１停止中も、機械室ファン１４を通常設定値Ｓ２よりも低いＳ３で回転させ次回霜取りまでの蒸発能力を高める（Ｓ１６及び図５参照）。
【００４５】
このように、霜取り時間が所定の時間を超えた場合は、機械室１２内の風速が増大するため蒸発皿２内の除霜水の蒸発が促進される。
【００４６】
Ｓ１５で霜取り時間が、例えば６０分を超えない場合は、次回霜取りまでの圧縮機１運転中の機械室ファン１４の回転数を通常設定値Ｓ２とする（Ｓ１７及び図５参照）。
【００４７】
また、機械室ファン１４の回転数をＳ２にして圧縮機１を運転した後の圧縮機１停止中は、機械室ファン１４を停止する（Ｓ１７及び図５参照）。
【００４８】
また、Ｓ１６では、機械室ファン１４の回転数をＳ１にして圧縮機１を運転した後の圧縮機１停止中、機械室ファン１４を通常設定値Ｓ２よりも低いＳ３で回転させたが、図６に示すように、圧縮機停止直後からの時間で制御してもよい。例えば、所定時間機械室ファン１４をＳ３で回転させ、その後の所定時間は機械室ファン１４を停止する。これは機械室ファン１４の形状や、回転数が各冷蔵庫１００で異なり、圧縮機１停止中には機械室ファン１４の音が目立つことがあるため、ある程度の時間だけ機械室ファン１４を回転させるものである。
【００４９】
また、図示はしないが、霜取り後の冷却負荷を減らすため、霜取り中に圧縮機１を冷却する目的で、霜取り時に機械室ファン１４を回転させても良い。
【００５０】
また、圧縮機１停止中の騒音が気になる場合のために、冷蔵室扉に取り付けられた操作パネル７に静音スイッチ（図示せず）を設け、圧縮機１停止中の機械室ファン１４の運転を停止させてもよい。
【００５１】
また、機械室ファン１４の停止までに、機械室ファン１４の回転数を段階的に下げてもよい。この場合の制御を図７により説明する。図７におけるＳ２０〜Ｓ２７までは、図４のＳ１０〜Ｓ１７と全く同じである。
【００５２】
Ｓ２８で操作パネル７の静音スイッチが押されたか判定する。Ｓ２８で静音スイッチが押されない場合は、機械室ファン１４をＳ３で回転させる（Ｓ３１）。その場合は、操作パネル７には表示はしない（Ｓ３４）。
【００５３】
Ｓ２８で操作パネル７の静音スイッチが押された場合は、Ｓ２９で操作パネル７の静音スイッチがさらに押されたかを判定する。Ｓ２９で操作パネル７の静音スイッチがさらに押されない場合（静音スイッチが一回押される場合）、機械室ファン１４をＳ３より小さい回転数Ｓ４（図６参照）で回転させる（Ｓ３２）。そして操作パネル７に「ファン低」と表示する（Ｓ３５）。
【００５４】
Ｓ２９で操作パネル７の静音スイッチがさらに押される場合、Ｓ３０で操作パネル７の静音スイッチがさらに押されたかを判定する。Ｓ３０で操作パネル７の静音スイッチがさらに押されない場合（静音スイッチが二回押される場合）、機械室ファン１４を停止する（Ｓ３３）。そして、操作パネル７に「ファン停止」と表示する（Ｓ３６）。
【００５５】
Ｓ３０で操作パネル７の静音スイッチがさらに押された場合（静音スイッチが三回押される場合）は、静音スイッチの押された回数はリセットされてＳ２８に戻る。つまり、静音スイッチが三回押される場合は、機械室ファン１４は元のＳ３で回転する（Ｓ３１）。そして、操作パネル７には、表示はされない（Ｓ３４）。
【００５６】
図４、図７の制御では、霜取り時間の長短により機械室ファン１４の回転数設定を変更しているが、図８に示すように、蒸発皿２上に設置された水量センサ１７を用いて検出する水量で機械室ファン１４の回転数設定を変更するようにしてもよい。
【００５７】
図８に示すように、水量センサ１７は圧縮機１の上に設置される蒸発皿２の中に設けられる２本の水位検知針１７ｂと、センサ本体１７ａとからなる。水量センサ１７は、水位検知針１７ｂの測定抵抗値の変化により、霜取りにより排出される除霜水がある水位以上であるか、または以下であることを検知するものである。
【００５８】
水量センサ１７を使用した場合の制御のフローチャートを図９に示す。Ｓ４０〜Ｓ４２までは、途中を省略しているが、図４のＳ１０〜Ｓ１４と同様である。Ｓ４３で水量センサ１７により蒸発皿２の水量を検出する。Ｓ４４で蒸発皿２の水量がある設定値以上か判定する。Ｓ４４で蒸発皿２の水量がある設定値以上の場合は、次回霜取りまでの圧縮機１運転中の機械室ファン１４の回転数を通常設定値Ｓ２よりも高くＳ１に設定する（Ｓ４５及び図５参照）。
【００５９】
また、機械室ファン１４の回転数をＳ１にして圧縮機１を運転した後の圧縮機１停止中も、機械室ファン１４を通常設定値Ｓ２よりも低いＳ３で回転させ次回霜取りまでの蒸発能力を高める（Ｓ４５及び図５参照）。
【００６０】
Ｓ４４で蒸発皿２の水量がある設定値未満の場合は、次回霜取りまでの圧縮機１運転中の機械室ファン１４の回転数を通常設定値Ｓ２とする（Ｓ４６及び図５参照）。
【００６１】
また、機械室ファン１４の回転数をＳ２にして圧縮機１を運転した後の圧縮機１停止中は、機械室ファン１４を停止する（Ｓ４６及び図５参照）。
【００６２】
以上のように、この実施の形態によれば、積算の霜取時間が所定時間（６０分）を超えた場合又は蒸発皿２の水量がある設定値以上の場合は、次回霜取りまで、圧縮機１運転中は機械室ファン１４の回転数を高く、また圧縮機１停止中も機械室ファン１４を運転させるので、除霜水の蒸発能力を向上させることができる。また停止中に圧縮機１をより冷却させるため次回圧縮機１運転時の消費電力の改善という効果も有する。
【００６３】
実施の形態２．
図１０乃至図１３は実施の形態２を示す図で、図１０は制御フローチャート図、図１１は冷蔵庫１００の外気温度別の圧縮機１の運転状況を示す図、図１２は機械室ファン１４の外気別回転数設定図、図１３は制御フローチャート図である。
【００６４】
外気温度が低くなってくると、外気と庫内温度差が縮まり庫外への熱漏洩量が減少するため図１１に示すように圧縮機１の運転時間は短くなり、また圧縮機１の停止時間は高外気時に比較し長くなる。機械室ファン１４を圧縮機１と同期して制御していると霜取り間の機械室ファン１４の総運転時間は、外気温度が高いときに比較して半分程度となることもあり、蒸発皿２表面の空気の流動時間が半減し、蒸発皿２に溜まった除霜水を蒸発させる能力が不足する可能性がある。
【００６５】
外気温度測定用サーミスタ（図示せず、外気温度測定装置の一例）で計測された外気温度により機械室ファン１４を制御するフローチャートを図１０に示す。Ｓ５１〜Ｓ５５までは、図４のＳ１０〜Ｓ１４と同様である。Ｓ５６で外気温度測定用サーミスタで計測された外気温度が、所定温度、例えば１５℃以下かを判定する。
【００６６】
Ｓ５６で外気温度測定用サーミスタで計測された外気温度が、例えば１５℃以下の場合は、次回霜取りまでの圧縮機１運転中の機械室ファン１４の回転数を通常設定値Ｓ２よりも高くＳ１に設定する（Ｓ５７及び図５参照）。
【００６７】
また、機械室ファン１４の回転数をＳ１にして圧縮機１を運転した後の圧縮機１停止中も、機械室ファン１４を通常設定値Ｓ２よりも低いＳ３で回転させ次回霜取りまでの蒸発能力を高める（Ｓ５７及び図５参照）。
【００６８】
Ｓ５６で外気温度測定用サーミスタで計測された外気温度が１５℃を超える場合は、次回霜取りまでの圧縮機１運転中の機械室ファン１４の回転数を通常設定値Ｓ２とする（Ｓ５８及び図５参照）。
【００６９】
また、機械室ファン１４の回転数をＳ２にして圧縮機１を運転した後の圧縮機１停止中は、機械室ファン１４を停止する（Ｓ５８及び図５参照）。
【００７０】
また、所定の温度を複数段階設定し、図１２のように外気温度に対して通常時の機械室ファン１４の回転数を、圧縮機１運転中／停止中に複数段階設定しておいてもよい。実施の形態１で説明した図７の制御（Ｓ２８〜Ｓ３６）と同様である。
【００７１】
図１３は実施の形態１の霜取り時間による制御に加え、本実施の形態の外気温度による制御を併せて行う場合の制御フローチャートである。
【００７２】
図１３のＳ６０〜Ｓ６５は、図４のＳ１０〜Ｓ１５と同様である。また、Ｓ６５で霜取り時間が６０分以上の場合の制御（Ｓ６８）は、図４のＳ１６の制御と同じである。
【００７３】
Ｓ６５で霜取り時間が６０分未満の場合は、Ｓ６６に進み、以下図１０と同様の制御を行う。
【００７４】
以上のように、この実施の形態によれば、外気温度測定用サーミスタで計測された外気温度が１５℃を超える場合は、次回霜取りまで、圧縮機１運転中は機械室ファン１４の回転数を高く、また圧縮機１停止中も機械室ファン１４を運転させるので、除霜水の蒸発能力を向上させることができる。また停止中に圧縮機１をより冷却させるため次回圧縮機１運転時の消費電力の改善という効果も有する。
【図面の簡単な説明】
【００７５】
【図１】実施の形態１を示す図で、冷蔵庫１００の縦断面図。
【図２】実施の形態１を示す図で、機械室１２の配置図。
【図３】実施の形態１を示す図で、蒸発皿２が冷蔵庫１００の下面に設置された場合の平面図。
【図４】実施の形態１を示す図で、制御フローチャート図。
【図５】実施の形態１を示す図で、制御タイムチャート図。
【図６】実施の形態１を示す図で、制御タイムチャート図。
【図７】実施の形態１を示す図で、制御フローチャート図。
【図８】実施の形態１を示す図で、冷蔵庫１００の機械室１２の配置図。
【図９】実施の形態１を示す図で、制御フローチャート図。
【図１０】実施の形態２を示す図で、制御フローチャート図。
【図１１】実施の形態２を示す図で、冷蔵庫１００の外気温度別の圧縮機１の運転状況を示す図。
【図１２】実施の形態２を示す図で、機械室ファン１４の外気別回転数設定図。
【図１３】実施の形態２を示す図で、制御フローチャート図。
【符号の説明】
【００７６】
１  圧縮機、２  蒸発皿、３  冷却器、４  庫内ファン、５  ダンパーサーモ、６  制御基板、７  操作パネル、８  冷凍室、９  野菜室、１０  上部冷凍室、１１  冷蔵室、１２  機械室、１３  除霜装置、１４  機械室ファン、１５  機械室カバー、１６  整流ガイド、１７  水量センサ、１７ａ  センサ本体、１７ｂ  水位検知針、１８  冷却器室、１００  冷蔵庫。
【図１】
0004912268.tif 000002
【図２】
0004912268.tif 000003
【図３】
0004912268.tif 000004
【図４】
0004912268.tif 000005
【図５】
0004912268.tif 000006
【図６】
0004912268.tif 000007
【図７】
0004912268.tif 000008
【図８】
0004912268.tif 000009
【図９】
0004912268.tif 000010
【図１０】
0004912268.tif 000011
【図１１】
0004912268.tif 000012
【図１２】
0004912268.tif 000013
【図１３】
0004912268.tif 000014